(57)【要約】【課題】  複数の配布対象者に写真画像を印刷して配布する場合、配布対象者毎に仕切りを示すインデックスシートを印刷するためだけの操作の必要がなく、配布対象者全員分の印刷が終わってから、各配布対象者に配布する写真の仕分け作業をする必要がない記録装置、記録装置の制御方法およびプログラムを提供することを目的とするものである。【解決手段】  画像選択とこの選択された画像の印刷部数とを、仕分け単位毎に入力する印刷ジョブ入力操作を連続して実行する印刷ジョブ操作連続手段と、上記入力された印刷ジョブの順に、連続して印刷する際に、各印刷ジョブの最終ページに、各印刷ジョブの区切りページとして、上記印刷ジョブで選択された選択画像とこの選択画像の印刷部数とを対応して一覧印刷させる一覧印刷制御手段とを有する記録装置である。【選択図】  図２
2006343854.tif 000002
【特許請求の範囲】
【請求項１】
画像データを保持するメモリ手段と；
上記メモリ手段に保持されている画像データの選択と、画像データを記録する枚数を設定する操作部と；
画像データを記録する記録手段と；
上記操作部を介して選択された画像データと選択された画像データの記録枚数とを関連付けて、ジョブ単位毎に、上記記録手段に画像データを記録させるように制御する制御手段と；
を有し、上記制御手段は、上記記録手段による画像データの記録の前または後に、上記ジョブ単位毎に、上記選択された画像データ一覧を記録するように制御する手段であることを特徴とする画像処理装置。
【請求項２】
請求項１において、
上記記録手段による画像データの記録の前または後に、画像一覧を記録させるか否かを切り換える切換手段を有することを特徴とする画像処理装置。
【請求項３】
請求項１において、
画像データの記録前に、上記操作部によって予め選択された画像データと選択された画像データの記録枚数とを関連付けるジョブ数を設定することが可能であり、
上記制御手段は、上記操作部を介してジョブ数の設定が完了した後に、画像データと画像データ一覧とを記録するように制御する手段であることを特徴とする画像処理装置。
【請求項４】
請求項１において、
複数の記録媒体を設置する給紙口と；
上記給紙口に載置する記録媒体の種別を記憶する記録媒体記憶手段と；
上記画像データ一覧を印刷する場合、上記記録媒体記憶手段に記憶された記憶媒体の種別に基づいて、記録媒体を選択する記録媒体選択手段と；
を有することを特徴とする画像処理装置。
【請求項５】
請求項１において、
複数の記録媒体を設置する給紙口と；
上記給紙口に載置する記録媒体の種別を識別する記録媒体識別手段と；
上記画像データ一覧を印刷する場合、上記記憶媒体識別手段が識別した記憶媒体の種別に基づいて、記録媒体を選択する記録媒体選択手段と；
を有することを特徴とする画像処理装置。
【請求項６】
画像データをメモリに保持する画像データ保持工程と；
上記画像データ保持工程で保持された画像データの選択と、画像データを記録する枚数を設定する設定工程と；
画像データを記録する記録工程と；
上記設定工程で選択された画像データと選択された画像データの記録枚数とを関連付けて、ジョブ単位毎に、記録手段に画像データを記録させるように制御する制御工程と；
を有し、上記制御工程は、上記記録工程による画像データの記録の前または後に、上記ジョブ単位毎に、上記選択された画像データ一覧を記録するように制御する工程であることを特徴とする画像処理装置の制御方法。
【請求項７】
請求項６において、
上記記録工程で画像データの記録の前または後に、画像一覧を記録させるか否かを切り換える切換工程を有することを特徴とする画像処理装置の制御方法。
【請求項８】
請求項６において、
画像データの記録前に、上記設定工程で予め選択された画像データと選択された画像データの記録枚数とを関連付けるジョブ数を設定することが可能であり、
上記制御工程は、上記設定工程でジョブ数の設定が完了した後に、画像データと画像データ一覧とを記録するように制御する工程であることを特徴とする画像処理装置の制御方法。
【請求項９】
請求項６において、
複数の記録媒体を設置する給紙口に載置する記録媒体の種別を記憶する記録媒体記憶工程と；
上記画像データ一覧を印刷する場合、上記記録媒体記憶工程に記憶された記憶媒体の種別に基づいて、記録媒体を選択する記録媒体選択工程と；
を有することを特徴とする画像処理装置の制御方法。
【請求項１０】
請求項６において、
複数の記録媒体を設置する給紙口に載置する記録媒体の種別を識別する記録媒体識別工程と；
上記画像データ一覧を印刷する場合、上記記憶媒体識別工程で識別した記憶媒体の種別に基づいて、記録媒体を選択する記録媒体選択工程と；
を有することを特徴とする画像処理装置の制御方法。
【請求項１１】
画像データをメモリに保持する画像データ保持手順と；
上記画像データ保持手順で保持された画像データの選択と、画像データを記録する枚数を設定する設定手順と；
画像データを記録する記録手順と；
上記設定手順で選択された画像データと選択された画像データの記録枚数とを関連付けて、ジョブ単位毎に、記録手段に画像データを記録させるように制御する制御手順と；
を有し、上記制御手順は、上記記録手順による画像データの記録の前または後に、上記ジョブ単位毎に、上記選択された画像データ一覧を記録するように制御する手順であることを画像処理装置に実行させるプログラム。
【発明の詳細な説明】
【技術分野】
【０００１】
本発明は、カードスロットを有し、メモリカード内に記憶されている画像データを直接読み取ることができ、操作手段によってメモリカードに記憶している画像を選択し、上記選択画像の印刷部数を入力して印刷指示し、上記印刷指示に基づいて画像を印刷する記録装置、記録装置の制御方法およびプログラムに関するものである。
【背景技術】
【０００２】
近年、写真画像をデジタルデータでメモリカードに記憶するデジタルカメラが広く普及している。
【０００３】
当初は、デジタル画像データを取り扱うことができる機器が、パーソナルコンピュータだけであったので、写真画像を印刷するためには、写真画像データをパーソナルコンピュータに記憶するか、または、写真画像が記憶されているメモリカードを、パーソナルコンピュータに接続し、デジタル画像データを読み出し、パーソナルコンピュータから、記録装置に写真画像データを転送し、印刷する方式を採用していた。
【０００４】
しかし、デジタルカメラを持ってはいるが、パーソナルコンピュータを持っていないユーザも現れ、デジタルカメラで撮影した画像を、ホストコンピュータを介さずに、手軽に印刷することができる記録装置が存在するようになった。
【０００５】
その１つとして、画像データを記憶しているメモリカードを接続するカードスロットを、記録装置に備え、メモリカードに記憶されている画像データを直接読み取り、印刷するプリント機能（フォトプリント機能）が知られている（たとえば、特許文献１参照）。
【０００６】
上記フォトプリント機能では、ユーザのさまざまな要望に応えるために、さまざまな印刷機能を提供している。具体的には、メモリカードに記憶されている全ての画像データを一覧印刷するインデックス印刷機能や、一度の印刷指示操作で、複数の画像を選択し、これら選択された画像のそれぞれについて印刷部数を入力し、印刷する複数画像をまとめて印刷機能、また、デジタルカメラで設定したＤＰＯＦ（Ｄｉｇｉｔａｌ  Ｐｒｉｎｔ  Ｏｒｄｅｒ  Ｆｏｒｍａｔ）設定に従って印刷するＤＰＯＦ印刷等がある。
【０００７】
一般に、カメラの利用方法として多いのは、団体旅行や運動会等の行事や、イベントの１シーンを写真におさめ、上記行事やイベントの多くの参加者に写真を焼き増しし、配布する利用法である。また、配布する写真の種類や枚数は、撮影された写真を配布してもらいたい行事やイベントの参加者によって異なる。
【０００８】
これまでの記録装置において、上記の状況において、写真画像を印刷する場合、１人の配布対象について、画像と部数とを指定し、この指定された画像について指定された部数を印刷する作業を、配布人数分繰り返す方法を採用するか、または、配布対象者全員分の画像を指定し、この指定された画像のそれぞれの部数の総数を集計し、１回の印刷指示操作によって、上記指定された画像のそれぞれについてまとめて印刷する方法を採用する。
【特許文献１】特開２０００−１１８０８１号公報
【発明の開示】
【発明が解決しようとする課題】
【０００９】
上記記録装置を使って、複数の配布対象者に写真画像を印刷して配布する場合、上記２つの方法に関しては、それぞれ課題がある。
【００１０】
上記配布対象者毎に、配布画像とその部数とを指定する従来方法では、配布対象者毎に仕切りを示すために、選択画像のインデックスシートを用い、このインデックスシートを印刷するために新たな設定や操作が必要であるという問題がある。
【００１１】
また、配布対象者全員分の画像を指定し、この指定された画像のそれぞれの部数の総数を集計し、上記指定された画像のそれぞれについてまとめて印刷する従来方法では、装置の動作に拘束されることはないが、配布対象者全員分の印刷が終わってから、各配布対象者に配布する写真の仕分け作業が、大きな負荷であるという問題がある。
【００１２】
本発明は、複数の配布対象者に写真画像を印刷して配布する場合、配布対象者毎に仕切りを示すインデックスシートを印刷する必要がなく、配布対象者全員分の印刷が終わってから、各配布対象者に配布する写真の仕分け作業をする必要がない記録装置、記録装置の制御方法およびプログラムを提供することを目的とするものである。
【課題を解決するための手段】
【００１３】
本発明は、画像データを保持するメモリ手段と、上記メモリ手段に保持されている画像データの選択と、画像データを記録する枚数を設定する操作部と、画像データを記録する記録手段と、上記操作部を介して選択された画像データと選択された画像データの記録枚数とを関連付けて、ジョブ単位毎に、上記記録手段に画像データを記録させるように制御する制御手段とを有し、上記制御手段は、上記記録手段による画像データの記録の前または後に、上記ジョブ単位毎に、上記選択された画像データ一覧を記録するように制御する手段であることを特徴とする画像処理装置である。
【発明の効果】
【００１４】
本発明によれば、複数の配布対象者に写真画像を印刷して配布する場合、配布対象者毎に仕切りを示すインデックスシートを印刷する必要がなく、また、配布対象者全員分の印刷が終わってから、各配布対象者に配布する写真の仕分け作業をする必要がないという効果を奏する。
【発明を実施するための最良の形態】
【００１５】
発明を実施するための最良の形態は、次の実施例である。
【実施例１】
【００１６】
図１は、本発明の実施例１である記録装置ＰＲ１を示すブロック図である。
【００１７】
記録装置ＰＲ１は、ＣＰＵ１００と、ＲＯＭ１０１と、ＲＡＭ１０２と、カードスロット１０３と、ＰＣインタフェース手段１０４と、操作手段１０５と、表示手段１０６と、記録手段１０７と、給紙口１０８、１０９と、バス１１０とを有する。
【００１８】
ＣＰＵ１００は、各種プログラムに従って記録装置ＰＲ１を制御するものである。ＲＯＭ１０１は、記録装置ＰＲ１の各種制御プログラムを格納している。
【００１９】
ＲＡＭ１０２は、ＲＯＭ１０１内の各種制御プログラムの読み出し、装置の各種設定情報の蓄積、メモリカード内に格納されている画像データの中から、印刷するために記録手段１０７に転送するために生成された印字データの蓄積等を行う記憶手段である。各給紙口に載置されている記録媒体の種別を登録する給紙口載置記録媒体種別記憶手段は、ＲＡＭ１０２の一例である。
【００２０】
カードスロット１０３は、画像データを記憶しているメモリカードを接続し、画像データを直接読み取るものである。ＰＣインタフェース手段１０４は、ＵＳＢケーブルを介して、ホストコンピュータと通信し、画像データをはじめとする種々のデータを送受信するためのものである。
【００２１】
操作手段１０５は、記録装置ＰＲ１の各種設定情報の変更やフォトプリントにおける印刷ジョブ入力操作を行うためのものであり、また、手動で給紙口選択を切り替える際にも使用するものである。表示手段１０６は、記録装置ＰＲ１の各種状態を通知する。
【００２２】
記録手段１０７は、ホストコンピュータや操作手段１０５によって指示された印刷ジョブによって転送された画像データに基づいて、記録媒体に画像を印刷する。給紙口１０８、１０９は、記録媒体を載置する。バス１１０は、ＣＰＵをはじめとする各種ハードウエアを相互に接続するものである。
【００２３】
次に、記録装置ＰＲ１の動作について説明する。
【００２４】
図２は、記録装置ＰＲ１における基本制御動作を示すフローチャートである。
【００２５】
図２に示すフローチャートに関する基本制御は、ＣＰＵ１００が実行する。
【００２６】
ここで、印刷に関する操作を、操作手段１０５を介して実行し、その印刷に関するメニューを表示手段１０６が表示する。
【００２７】
まず、印刷物を配布するために印刷物の仕分け単位毎の画像選択と、この選択された画像の印刷部数の印刷ジョブ入力との操作を連続して行った後に、指示された印刷ジョブの順に、連続して印刷する機能（以下、「配り分けプリント」と呼ぶ）を使うための印刷ジョブ入力を開始するかどうかをチェックする（Ｓ２０１）。
【００２８】
ここで、上記配り分けプリントの印刷ジョブ入力の開始が指示されたら、印刷物を配布する配布対象者情報（たとえば、配布対象者の名前等）を入力し（Ｓ２０２）、上記配布対象者に配布する写真画像の選択と、この選択された写真画像の印刷部数とを入力する（Ｓ２０３）。
【００２９】
次に、１人の配布対象者に配布する印刷物の印刷ジョブ入力が完了したかどうかをチェックする（Ｓ２０４）。ここで、上記印刷ジョブ入力が完了していなければ、Ｓ２０３の印刷ジョブ入力を継続する。上記印刷ジョブ入力が完了したら、１人の配布対象者に配布する印刷物の印刷ジョブを、ＲＡＭ１０２に記憶する（Ｓ２０５）。
【００３０】
そして、次の配布対象者に配布する印刷物の印刷ジョブ入力に移行するかどうかをチェックする（Ｓ２０６）。ここで、次の配布対象者に配布する印刷物の印刷ジョブ入力に移行するのであれば、Ｓ２０２に戻り、次に印刷物を配布する配布対象者情報を入力し、Ｓ２０３で、配布対象者に配布する印刷物の印刷ジョブ入力操作を行う。
【００３１】
しかし、Ｓ２０６で、次の配布対象者に配布する印刷物の印刷ジョブ入力に移行しなければ、全ての配布対象者に配布する印刷物の印刷ジョブ入力が全て完了したと判断し、上記印刷ジョブ入力に基づいて、配布対象者の１人分の選択写真画像を印刷する（Ｓ２０７）。
【００３２】
配布対象者の１人分の選択写真画像の印刷が終わったら、次に、印刷ジョブの区切りページとして、上記印刷ジョブでの選択画像とその画像の印刷部数との対応を示す一覧（以下、「配布対象者１人分の選択写真画像一覧」と呼ぶ）を印刷する（Ｓ２０８）。
【００３３】
次に、未実行の印刷ジョブがあるかどうかをチェックする（Ｓ２０９）。ここで、未実行の印刷ジョブがあれば、Ｓ２０７に戻り、次の配布対象者の１人分の選択写真画像を印刷し、さらに、配布対象者１人分の選択写真画像一覧を印刷する。Ｓ２０９で、未実行の印刷ジョブがなければ、つまり、全ての配布対象者に配布する印刷物の印刷ジョブを全て完了したら、終了する。
【００３４】
図３は、記録装置ＰＲ１において、選択写真画像一覧印刷時に給紙口切替を行う動作を示すフローチャートである。
【００３５】
Ｓ３０１〜Ｓ３０６は、図２に示すＳ２０１〜Ｓ２０６の動作と全く同じであるので、その説明を省略する。
【００３６】
Ｓ３０６で、次の配布対象者に配布する分の印刷ジョブ入力に移行せず、全ての配布対象者に配布する印刷物の印刷ジョブ入力が完了したら、配布対象者の１人分の選択写真画像を印刷する（Ｓ３０７）。次に、不図示の給紙口載置記録媒体種別記憶手段または給紙口載置記録媒体種別識別手段によって、選択写真画像一覧印刷に使うときに最適な記録媒体が、現在使用していない別の給紙口に載置されているかどうかをチェックする（Ｓ３０８）。
【００３７】
ここで、選択画像一覧印刷する場合、配布内容がわかればよく、または配布対象者毎に区切りがわかればよい。よって、この場合、最適な記録媒体として高品質の記録媒体ではなく、普通紙や色紙を用いればよい。また、上記選択写真画像一覧印刷に使うときに最適な記録媒体が、現在使用していない別の給紙口に載置されていれば、上記給紙口に、給紙口選択を切り替える（Ｓ３０９）。
【００３８】
選択写真画像一覧印刷として使用する記録媒体を、別の給紙口に載置しておけば、選択画像一覧印刷するための設定や操作を改めて行うことが不要である。選択写真画像一覧印刷として最適な給紙口選択を行った後に、配布対象者１人分の選択写真画像一覧を印刷する（Ｓ３１０）。
【００３９】
配布対象者１人分の選択写真画像一覧の印刷が終わり、選択写真画像一覧印刷用に給紙口選択を切り替えたら、切り替える前の状態に戻す（Ｓ３１１）。
【００４０】
次に、未実行の印刷ジョブがあるかどうかをチェックする（Ｓ３１２）。ここで、未実行の印刷ジョブがあれば、Ｓ３０７に戻り、次の配布対象者の配布対象者の１人分の選択写真画像を印刷し、さらに、選択写真画像一覧印刷に最適な給紙口選択を行った後に、配布対象者１人分の選択写真画像一覧を印刷する。
【００４１】
しかし、Ｓ３１２において、未実行の印刷ジョブがなければ、つまり、全ての配布対象者に配布する印刷物の印刷ジョブが全て完了したら、終了する。
【００４２】
次に、記録装置ＰＲ１において、異なる入力操作による基本制御動作について説明する。
【００４３】
図４は、記録装置ＰＲ１において、異なる入力操作による基本制御動作を実行するフローチャートである。
【００４４】
まず、配り分けフォトプリントを使うための印刷ジョブ入力を開始するかどうかをチェックする（Ｓ４０１）。ここで、上記配り分けフォトプリントの印刷ジョブ入力の開始が指示されたら、印刷ジョブ入力数カウンタＮに、印刷物を配布する配布人数を入力する（Ｓ４０２）。そして、印刷物を配布する配布対象者情報を入力する（Ｓ４０３）。
【００４５】
次に、上記配布対象者に配布する写真画像の選択と、上記選択各画像の印刷部数とを入力し（Ｓ４０４）、１人の配布対象者に配布する印刷物の印刷ジョブ入力が完了したかどうかをチェックする（Ｓ４０５）。ここで、上記印刷ジョブ入力が完了していなければ、Ｓ４０４の印刷ジョブ入力を継続する。
【００４６】
上記印刷ジョブ入力が完了すれば、１人の配布対象者に配布する印刷物の印刷ジョブをＲＡＭ１０２に記憶し（Ｓ４０６）、印刷ジョブ入力数カウンタのカウント値Ｎから１を減じる（Ｓ４０７）。そして、印刷ジョブ入力数カウンタのカウント値Ｎが０であるかどうかをチェックする（Ｓ４０８）。ここで、カウント値Ｎが０でなければ、Ｓ４０３に戻り、印刷物を配布する配布対象者情報を入力し、Ｓ４０４で、配布対象者に配布する印刷物の印刷ジョブ入力操作を行う。
【００４７】
Ｓ４０８で、カウント値Ｎが０であれば、全ての配布対象者に配布する印刷物の印刷ジョブ入力が全て完了したと判断し、上記印刷ジョブ入力に基づいて、配布対象者の１人分の選択写真画像の印刷を行う（Ｓ４０９）。配布対象者の１人分の選択写真画像の印刷が終われば、印刷ジョブの区切りページとして、配布対象者１人分の選択写真画像一覧を印刷する（Ｓ４１０）。このときに、選択写真画像一覧印刷する記録媒体を、選択写真画像印刷する記録媒体と異なる記録媒体の給紙口から選択するようにしてもよい。
【００４８】
次に、未実行の印刷ジョブがあるかどうかをチェックする（Ｓ４１１）。ここで、未実行の印刷ジョブがあれば、Ｓ４０９に戻り、次の配布対象者の配布対象者の１人分の選択写真画像を印刷し、さらに、配布対象者１人分の選択写真画像一覧を印刷する。Ｓ４１１で、未実行の印刷ジョブがない場合、つまり、全ての配布対象者に配布する印刷物の印刷ジョブが全て完了した場合、終了する。
【００４９】
上記実施例において、印刷ジョブの区切りページである、配布対象者１人分の選択写真画像一覧を印刷する場合、印刷ジョブの最終ページで行うが、この配布対象者１人分の選択写真画像一覧を、印刷ジョブの先頭ページで切り換えて印刷するようにしてもよい。
【００５０】
本実施例では、記録装置の構成について詳細には記していないが、印刷後の記録媒体の排紙方法として、選択写真画像の印刷面を表にして排紙する場合と、裏にして排紙する場合とがある。この場合、ユーザが仕分けのための選択写真画像一覧を先頭ページとしたいときに、印刷面を表にして排紙する場合、選択写真画像一覧を１つの印刷ジョブ毎の最後に印刷すればよい。また、印刷面を裏にして排紙する場合、選択写真画像一覧を１つの印刷ジョブの最初に印刷すればよい。
【００５１】
上記実施例によれば、全ての配布対象者に対する選択写真画像と、印刷一覧の印刷とを連続して行うことができ、長時間の印刷操作に拘束されることがない。
【００５２】
図５は、記録装置ＰＲ１における選択写真画像一覧印刷の一例を示す図である。
【００５３】
図５に示す例では、上記各制御フローチャートにおいて、配布先情報入力で得られた配布対象者名情報を基づいて、表題として「○○○さんにあげる写真リスト」と印刷し、その下に、各制御フローチャートにおける印刷ジョブ入力操作で指示された、印刷ジョブでの選択画像と、各画像の下にその選択画像の印刷部数とを付加した一覧を印刷し、さらに、印刷ジョブで印刷した総部数を印刷する。
【００５４】
なお、上記選択写真画像一覧印刷において、印刷ジョブでの選択画像と、その選択画像の印刷部数との対応が示されている印刷形態であれば、他の印刷形態でもよい。また、入力された配布先情報に基づいて、上記選択写真画像一覧に、配布先を示す印刷形態であれば、いかなる形態でもよい。
【００５５】
また、上記実施例をプログラムの発明として把握することができる。つまり、上記実施例は、画像データをメモリに保持する画像データ保持手順と、上記画像データ保持手順で保持された画像データの選択と、画像データを記録する枚数を設定する設定手順と、画像データを記録する記録手順と、上記設定手順で選択された画像データと選択された画像データの記録枚数とを関連付けて、ジョブ単位毎に、記録手段に画像データを記録させるように制御する制御手順とを有し、上記制御手順は、上記記録手順による画像データの記録の前または後に、上記ジョブ単位毎に、上記選択された画像データ一覧を記録するように制御する手順であることを画像処理装置に実行させるプログラムの例である。
【００５６】
上記実施例によれば、団体旅行や運動会等の行事やイベントの１シーンをデジタルカメラで写真におさめ、メモリカードから画像データを読み取って写真画像を印刷し、上記行事やイベントの多くの参加者に写真を焼き増しし配布する際に、無駄な時間をかけさせず、また、各配布対象者に配布する写真の仕分け作業の負荷を軽減することができる。
【００５７】
また、上記実施例によれば、一般的に写真画像の印刷に使用する記録媒体は、写真印刷専用の上質な記録媒体が多く使用されるが、区切りページとして印刷する選択写真画像一覧印刷には、上質な記録媒体を使用したくないと考えるユーザに対しては、複数の給紙口を有する場合に、区切りページとして印刷する選択写真画像一覧印刷に使用する記録媒体として、最適な記録媒体が載置されている給紙口から記録媒体を給紙し、印刷するので、上質な記録媒体の無駄な使用を回避することができる。
【図面の簡単な説明】
【００５８】
【図１】本発明の実施例１である記録装置ＰＲ１を示すブロック図である。
【図２】記録装置ＰＲ１における基本制御動作を示すフローチャートである。
【図３】記録装置ＰＲ１において、選択写真画像一覧印刷時に給紙口切替を行う動作を示すフローチャートである。
【図４】記録装置ＰＲ１において、異なる入力操作による基本制御動作を実行するフローチャートである。
【図５】記録装置ＰＲ１における選択写真画像一覧印刷の一例を示す図である。
【符号の説明】
【００５９】
ＰＲ１…記録装置、
１００…ＣＰＵ、
１０１…ＲＯＭ、
１０２…ＲＡＭ、
１０３…カードスロット、
１０５…操作手段、
１０６…表示手段、
１０７…記録手段。
【図１】
2006343854.tif 000003
【図２】
2006343854.tif 000004
【図３】
2006343854.tif 000005
【図４】
2006343854.tif 000006
【図５】
2006343854.tif 000007